(57)【要約】【課題】  照射方向の調整に伴う回動によりワイヤハーネスが捻れたり断線することのない室内照明灯を提供する。【解決手段】  照射方向を調整する際にベゼル部52を回動させるとレンズ54および反射板40は回動するが、バルブ37は本体30に固定されているので回動せず、光源30に接続されているワイヤハーネスW/Hは捻れない。従って、従来のように、照射方向の調整に伴ってワイヤハーネスW/Hが捻れて生じる断線を防止できる。また、レンズ54と反射板40とが同期して回動するので、反射板40からの反射光は常にレンズ54の所定位置に照射される。このため、バルブ37から発せられた光線を効率よく照射対象に照射できる。また、反射板40には切欠41が設けられているので、バルブ37および反射板40の取り付けが容易になる。【選択図】  図５
2005129287.tif 000002
【特許請求の範囲】
【請求項１】
車体に固定される本体と、光線を発する光源と、この光源からの光線を所定方向へ反射する反射板と、前記本体に設けられた支持部に支持されるとともに前記光源からの光を透過可能なレンズを有するベゼル部とを備え、前記本体に対して前記ベゼル部を回動させることにより光軸の向きを調整可能な室内照明灯であって、
前記光源が前記本体に固定されていることを特徴とする室内照明灯。
【請求項２】
前記レンズと前記反射板とが同期して回動することを特徴とする請求項１に記載した室内照明灯。
【請求項３】
前記反射板に、前記光源との干渉を回避する切欠が設けられていることを特徴とする請求項１または請求項２に記載した室内照明灯。
【発明の詳細な説明】
【技術分野】
【０００１】
本発明は室内照明灯に係り、例えば自動車のドアや天井等に取り付けられる室内照明灯に関する。
【背景技術】
【０００２】
従来の室内照明灯としては、例えば図６に示すようなものが開示されている（例えば、特許文献１参照）。
この室内照明灯は、例えばワゴン車のバックドアに取り付けて使用するものであり、照射方向を変えることにより、ワゴン車の後部に設けられているラゲッジルームや開けたバックドアの下方を照らすことができるようになっている。
【０００３】
図６に示すように、この室内照明灯100は、バックドアの壁面を形成するトリム101にランプハウジング102が取り付けられており、このランプハウジング102の前方には円形の開口103が設けられている。この開口103から後方（図６において右方）には、球面状の内面を有するランプ支持部104が設けられており、このランプ支持部104の内側には、部分球面状をしたランプ本体105が所定範囲で３６０度回転自在に設けられている。ランプ本体105の内部にはバルブ106が装着されており、前面（図６において左面）には、ランプハウジング102の開口103から突出するレンズ部107が設けられている。このレンズ部107と開口103との間にスペースＳが設けられており、ランプ本体105の回転量を規制している。
【０００４】
【特許文献１】特開２０００−１１４１号公報（第３頁、第４図）
【発明の開示】
【発明が解決しようとする課題】
【０００５】
ところで、前述した室内照明灯100においては、バルブ106、反射板108およびレンズ部107が一体的に設けられている場合が多く、ランプ本体105を回動させて光軸の照射方向を変えるとバルブ106も回動することになる。このため、バルブ106に接続されているワイヤハーネスW/Hが捻れるため、繰り返し回動した際にワイヤハーネスW/Hが断線する虞れもあるという不都合があった。
【０００６】
本発明は、前述した問題点に鑑みてなされたものであり、その目的は、照射方向の調整に伴って、ワイヤハーネスが捻れて断線することのない室内照明灯を提供することにある。
【課題を解決するための手段】
【０００７】
前述した目的を達成するために、本発明は、車体に固定される本体と、光線を発する光源と、この光源からの光線を所定方向へ反射する反射板と、前記本体に設けられた支持部に支持されるとともに前記光源からの光を透過可能なレンズを有するベゼル部とを備え、前記本体に対して前記ベゼル部を回動させることにより光軸の向きを調整可能な室内照明灯であって、前記光源が前記本体に固定されていることを特徴としている。
【０００８】
このように構成された室内照明灯においては、照射方向を調整する際にベゼル部を回動させるとレンズおよび反射板は回動するが、光源は本体に固定されているので回動せず、光源に接続されているワイヤハーネスは捻れない。従って、従来のように、照射方向の調整に伴ってワイヤハーネスが捻れて断線するという問題を解決できる。
【０００９】
また、本発明は、前記レンズと前記反射板とが同期して回動することを特徴としている。
【００１０】
このように構成された室内照明灯においては、反射板がレンズと同期して回動するので反射板からの反射光は常にレンズの所定位置に照射されることになる。このため、光源から発せられた光線は効率よく照射対象に照射できる。
【００１１】
また、本発明は、前記反射板に、前記光源との干渉を回避する切欠が設けられていることを特徴としている。
【００１２】
このように構成された室内照明灯においては、光源を切欠に通すことにより光源と反射板との干渉を回避できるので、光源および反射板の取り付けが容易になる。
【発明の効果】
【００１３】
本発明によれば、照射方向を調整する際にベゼル部を回動させると光源および反射板は回動するが、光源は本体に固定されているので、光源に接続されているワイヤハーネスは捻れない。従って、従来のように、照射方向の調整に伴ってワイヤハーネスが捻れて断線するという問題を解決できる。
【発明を実施するための最良の形態】
【００１４】
以下、本発明に係る実施形態を図面に基づいて詳細に説明する。図１は本発明に係る室内照明灯の実施形態を示す分解斜視図、図２は図１においてＩＩ方向から見た室内照明灯の背面図、図３は本発明に係る室内照明灯を車体に取り付けた状態を示す断面図、図４はバルブと反射板との関係を示す拡大図、図５はバルブと反射板との関係を示す断面図である。
【００１５】
図１に示すように、本発明の実施形態である室内照明灯10は、車室内12（図３参照）に露出する意匠部20と、この意匠部20の内側にあって、各種電気部品等が取り付けられている本体としての機能部本体30とを有している。
図３に示すように、この室内照明灯10は、意匠部20を車体11の内側に設けられている内装材（トリム）13に取り付けることにより取り付けられており、あらかじめ内装材13の裏側に配線されているワイヤハーネスW/Hに容易に接続可能となっている。
【００１６】
図１および図２に示すように、意匠部20は、表面21ａが車室内12に露出する例えば矩形状をしたハウジング21を有しており、このハウジング21の中央部には左右のスイッチ51Ｌ、51Ｒを車室内12に露出させるためのスイッチ穴22Ｌ、22Ｒが設けられている。また、ハウジング21の左右部分には、左右のランプ50Ｌ、50Ｒを車室内12に露出させるためのランプ穴23Ｌ，23Ｒが設けられている。各ランプ穴23Ｌ，23Ｒには、機能部本体30をハウジング21に取り付けるための略円柱状の取付部24がハウジング21の裏面21ｂから内側に向かって設けられている。なお、ハウジング21の裏面21ｂには、ハウジング21を車室内12の天井の内装材13に取り付けるためのクリップ25（図３参照）が設けられている。
【００１７】
図１および図２に示すように、機能部本体30は全体長円形のフレーム状部材であり、左右両端部にはランプ50Ｌ、50Ｒを収容するランプ収容穴31Ｌ、31Ｒを有している。また、機能部本体30の中央部には、両ランプ収容穴31Ｌ、31Ｒの間に、スイッチ51Ｌ、51Ｒを取り付けるためのスイッチ収容部32Ｌ、32Ｒを有している。なお、スイッチ51Ｌ、51Ｒは、その接続端子にワイヤハーネスW/Hの先端に取り付けられているコネクタ14を取り付けることにより、容易に着脱可能となっている（図３参照）。
【００１８】
両ランプ収容穴31Ｌ、31Ｒの縁は、ランプ50Ｌ、50Ｒを支持する支持部としての円形のリング部材33が各々設けられている。各リング部材33には機能部本体30の裏側（図１において右側）に突出した円柱状のガイド部材38が設けられており、左右のガイド部材38は対向する部分が切り欠かれていて、スイッチ51Ｌ，51Ｒや光源としてのバルブ37等の各種電気部品が機能部本体30に対して固定的に装着可能となっている。ガイド部材38は、装着される全ての電気部品等よりも背が高く、電気部品等が車体11に衝突するのを防止する働きがある。左右のガイド部材38の内部には各々バルブ37が取り付けられて固定されるようになっている。
【００１９】
なお、バルブ37の後方（図１において右方）には反射板40が設けられている。図４および図５に示すように、反射板40の中央部には、バルブ37の外径よりも僅かに幅広の切欠41が設けられており、バルブ37を通すことができるようになっている。従って、反射板40の前方にバルブ37を取り付ける際に、反射板40の後方から切欠41を通って反射板40の前方にバルブ37を回り込ませて、取り付け・固定できる。これにより、バルブ37から発せられる光を効率よく所望の方向へ照射できる。
なお、反射板40が対称になるように切欠41を設けるようにして、左右のバルブ37に共用できるようにすることにより、誤組付けを防止することもできる。
【００２０】
図１に示すように、リング部材33の内周面を例えば三等分した位置には、金属製の摺接部材34を取り付けるための摺接部材取付凹部35が設けられており、摺接部材34は摺接部材取付凹部35に差し込んで取り付けられる。
摺接部材34は、金属製の弾性を有する略Ｔ字状の部材であり、常時球面52ａに弾性力により押圧されている。なお、摺接部材34は、樹脂製であってもよく、略Ｔ字状以外の形状であってもよい。
【００２１】
図１に示すように、ランプ収容穴31Ｌ、31Ｒのリング部材33の外側には案内部36が一段突出して設けられている。この案内部36の外側面は、摺接部材34を摺接部材取付凹部35に嵌入して取り付けた際に、隣接する摺接部材34間を同心円状に埋めるものであり、摺接部材34による摺動面を結ぶ同心円（球面52ａ）よりも内側に位置するように設けられている。
また、リング部材33の外側面には、機能部本体30を取り付けるための係止爪39が適宜の間隔で複数個設けられている。従って、係止爪39とリング部材33との間に意匠部20の取付部24を挟むことにより、機能部本体30と意匠部20のハウジング21とを結合している。
【００２２】
図１に示すように、意匠部20と機能部本体30との間には、左右のランプ50Ｌ，50Ｒが取り付けられている。なお、左右のランプ50Ｌ，50Ｒは同じものなので、以下の説明においては特に必要な場合を除き、単にランプ50として説明する。
ランプ50は、外ベゼル52、内ベゼル53、レンズ54等を有しており、バルブ37から発せられる光線を所定の方向へ照射するものである。
【００２３】
外ベゼル52は、先端部分が意匠部20のランプ穴23Ｌ，23Ｒから車室内12に突出する大きさであり、全体部分球状をしていて内面には凹状の球面52ａが形成されている。また、中央にはレンズ54が嵌る窓52ｂを有している。
内ベゼル53は、円柱状のベゼル本体53ａと、このベゼル本体53ａにヒンジ53ｃを介して開閉自在に設けられているレンズ押え53ｂとを有している。従って、レンズ54の凸面をベゼル本体53ａの後端部に嵌め、レンズ押え53ｂを閉じることによりレンズ54を保持している。
従って、レンズ54は、内ベゼル53を外ベゼル52の内側に係合することにより、二重係止されている。
【００２４】
左右のランプ50Ｌ，50Ｒは、各々機能部本体30のランプ収容穴31Ｌ，31Ｒに回動自在且つ所定位置に固定可能に取り付けられている。すなわち、図１に示すように、機能部本体30に取り付けられている３個の摺接部材34が外ベゼル52の内側に位置し、弾性的に外ベゼル52の球面52ａに押圧される。これにより、外ベゼル52は機能部本体30に対して回動可能且つ所望の位置に固定可能となる。
【００２５】
図５に示すように、反射板40とレンズ54とは同期して回動するようになっている。すなわち、反射板40とレンズ54とを連結部材42によって一体的に連結するようにしてもよい。この場合でも、反射板40にはバルブ37を通す大きさの切欠41が設けられているので、取り付け性に問題はない。あるいは、反射板40とレンズ54とを直接連結してはいないが、両者が同期して回動するように各々別個に回動手段を設けるようにしてもよい。
【００２６】
なお、レンズ54には、入射した光線をそのまま透過させる素通し部54ａと、入射した光線を中心側へ屈折させる屈折部54ｂが設けられており、バルブ37からの光線を効率よく照射対象に照射するようにしている。また、屈折部54ｂにおいて入射した光線を中心側へ屈折させることにより、レンズ54の周縁部が光るのを防止でき、運転者や同乗者にまぶしい光が照射されるのを低減できる。
【００２７】
以上、前述した室内照明灯10によれば、照射方向を調整する際に外ベゼル52を回動させるとレンズ54および反射板40が回動するが、バルブ37は機能部本体30に固定されているので回動せず、従って、バルブ37に接続されているワイヤハーネスW/Hは捻れない。これにより、照射方向の調整に伴ってワイヤハーネスW/Hが捻れることにより生じるワイヤハーネスW/Hの断線を防止できる。
【００２８】
また、反射板40がレンズ54と同期して回動するので、反射板40からの反射光は常にレンズ54の所定位置に照射されることになる。このため、バルブ37から発せられた光線は効率よく照射対象に照射できる。なお、反射板40には、バルブ37との干渉を回避する切欠41が設けられているので、バルブ37あるいは反射板40を容易に取り付けることができる。
【００２９】
なお、本発明の室内照明灯10は、前述した実施形態に限定されるものでなく、適宜な変形，改良等が可能である。
例えば、前述した実施形態においては、左右一対のランプ50Ｌ、50Ｒを有する場合について説明しているが、ランプ50の数は任意である。従って、ランプ穴23の数およびスイッチ穴22の数はランプ50の数に対応するものであり、適宜に変化するものである。
【００３０】
その他、前述した実施形態において例示した摺接部材，外ベゼル，内ベゼル，機能部本体，意匠部ハウジング等の材質，形状，寸法，形態，数，配置個所等は本発明を達成できるものであれば任意であり、限定されない。
【図面の簡単な説明】
【００３１】
【図１】本発明に係る室内照明灯の実施形態を示す分解斜視図である。
【図２】図１においてII方向から見た室内照明灯の背面図である。
【図３】本発明に係る室内照明灯を車体に取り付けた状態を示す断面図である。
【図４】バルブと反射板との関係を示す拡大図である。
【図５】図４中V-V位置の断面図である。
【図６】従来の室内照明灯の一例を示す断面図である。
【符号の説明】
【００３２】
10  室内照明灯
11  車体
30  機能部本体（本体）
33  リング部材（支持部）
37  バルブ（光源）
40  反射板
52  外ベゼル（ベゼル部）
54  レンズ
【図１】
2005129287.tif 000003
【図２】
2005129287.tif 000004
【図３】
2005129287.tif 000005
【図４】
2005129287.tif 000006
【図５】
2005129287.tif 000007
【図６】
2005129287.tif 000008